(57)【要約】【課題】予め規定されている流通物を撮像する撮像有効範囲に、受取人情報のエリアおよびバーコードが表記されたエリアが同時に入らない場合に、作業効率の低下を防止し、１回目の撮像に失敗した場合にも帳票を作成する無駄を省き時間を短縮する。【解決手段】受取人情報が表記されたエリアを撮像する第１の撮像を行い、この撮像によって得られた映像信号をディジタル信号に変換して画像メモリ７４に記憶し、バーコードが表記されたエリアを撮像する第２の撮像を行い、この撮像によって得られた映像信号の中からバーコードに対応する信号を検索しバーコード情報を読取り画像メモリに記憶し、受取人情報が表記されたエリアとバーコード情報とをハードコピーした帳票を印字部８で出力するものである。【選択図】    図３
2005049941.tif 000002
【特許請求の範囲】
【請求項１】
流通物を撮像する撮像手段と、前記撮像手段によって得られた映像信号の中からバーコードに対応する信号を検索しバーコード情報を読取るバーコード情報読取手段と、前記撮像手段によって得られた映像信号をディジタル信号に変換する信号変換手段と、前記撮像手段により前記受取人情報が表記されたエリアを撮像する第１の撮像と前記バーコードが表記されたエリアを撮像する第２の撮像とを行う２度撮りモードを設定する２度撮りモード設定手段と、前記第１の撮像に基づいて得られた映像信号を前記信号変換手段によりディジタル信号に変換し、記憶する第１の記憶手段と、前記第２の撮像に基づいて得られたバーコード情報を記憶する第２の記憶手段と、前記第１の記憶手段にディジタル信号として記憶された受取人情報が表記されたエリアと前記第２の記憶手段に記憶されたバーコード情報とをハードコピーした帳票を出力する印字出力手段とを備えたことを特徴とする帳票作成装置。
【請求項２】
流通物を撮像する撮像手段と、前記撮像手段によって得られた映像信号の中からバーコードに対応する信号を検索しバーコードおよびバーコード近傍の映像を読取るバーコード読取手段と、前記撮像手段によって得られた映像信号をディジタル信号に変換する信号変換手段と、前記撮像手段により前記受取人情報が表記されたエリアを撮像する第１の撮像と前記バーコードおよびバーコード近傍のエリアを撮像する第２の撮像とを行う２度撮りモードを設定する２度撮りモード設定手段と、前記第１の撮像に基づいて得られた映像信号を前記信号変換手段によりディジタル信号に変換した後記憶する第１の記憶手段と、前記第２の撮像に基づいて得られた映像信号を前記信号変換手段によりディジタル信号に変換した後記憶する第２の記憶手段と、前記第１の記憶手段にディジタル信号として記憶された受取人情報が表記されたエリアと前記第２の記憶手段に記憶されたバーコードおよびバーコード近傍のエリアとをハードコピーした帳票を出力する印字出力手段とを備えたことを特徴とする帳票作成装置。
【発明の詳細な説明】
【０００１】
【発明の属する技術分野】
本発明は、書留郵便物等の流通物の引受から配達までの一連の業務において、流通物の授受を明確にすると共に管理を合理化するための帳票作成装置に関する。
【０００２】
【従来の技術】
従来、例えば書留郵便物のような流通物の配達に際しては、配達業務を管理するために配達証が作成されるようになっている。この配達証が用いられる流通物の配達業務を図４を参照して説明する。配達証とは、書留郵便物Ａを配達する際、受取人の受領印を受け取るために使用されるもので、正・副の２通が帳票作成装置Ｂにより作成される。１通は配達証Ｃ１として受取人により該当書留郵便物を受け取ったことを証する受領印を受領印欄にもらうために書留郵便物に貼付される。そして、受取人により受領印が押印された後、郵便局へ持ち帰って保管される。この受領印欄は図４では、配達証Ｃ１の右上部の正円である。もう１通は配達証原符Ｃ２として郵便局の控えとして局内に残しておく。そして、配達を終え受領印を押印されて持ち帰った配達証Ｃ１と配達証原符Ｃ２とを照合して配達済否を確認する。このように配達業務を管理するために用いられる配達証に記載されるべき内容は、受取人の居所および氏名、引受局記号、引受番号、特殊扱いの文字、作成月日および時間帯、受領印欄および配達証の文字などである。また、書留郵便物は、流通過程のいずれの場所にあるかを管理するために固有のＩＤ番号がバーコードなどにより表記されているため、例えば、バーコードの内容を示す数字などのバーコード情報も配達証に表記する必要がある。
【０００３】
この配達証の作成は郵便局の局内において、上述の帳票作成装置Ｂにより次のように行われる。帳票作成装置Ｂは、撮像有効範囲Ｂ１内に収まる流通物Ａを撮像し、撮像した画像を出力するとともに撮像した画像データからバーコード情報を自動的に切出して読取り、作成月日、整理区分、一連番号その他の帳票に必要な情報や読取ったコード情報を付与した書留郵便物等の表面の複写画像をハードコピーして帳票を作成する。また帳票作成装置Ｂは、この処理において、撮像した画像データからバーコード情報を自動的に切出して読取ることができなかった場合には、画像データを保持したまま再度バーコード情報読取りのための撮像ができ、その画像データからバーコード情報読取りのリトライを行う。このように帳票を作成することにより、流通物の複写画像として良好な画像データとバーコード情報読取りに良好な画像データとが一致しない場合にも作業性よく帳票作成を行うことができる（例えば、特許文献１参照）。
【０００４】
【特許文献１】
特許第２５６８７５０号公報
【０００５】
【発明が解決しようとする課題】
しかしながら、流通物のサイズには種々のサイズがあり、また、受取人の居所および氏名などが表記されているエリアや配達管理を行うためのバーコードが表記されているエリアも様々である。例えば、書留郵便物のサイズが帳票作成装置の撮像有効範囲より大きく、撮像有効範囲内に上述の２つのエリアが同時に収まらない場合がある。また、上述の２つのエリアが流通物の反対面に表記されていて一度に撮像できない場合がある。このように撮像有効範囲に２つのエリアが同時に入らなくなる書留郵便物が存在するのは、書留郵便物を大量に出願する差出人の中には、受取人の居所および住所などが表記されたラベル、また、バーコードが表記されたラベルを書留郵便物に貼付して郵便局に差出すときに、差出人側では局内で書留郵便物の帳票を作成するときの事情がわからないために、差出人が各ラベルを書留郵便物に貼付するときに自らが作業を行うのに都合の良い場所に貼付してしまうからである。このように一度に撮像を行うことができない流通物が大量の流通物の中に混在している場合に、上述の帳票作成装置では対応するこができず処理効率が低下してしまう。
【０００６】
また、一般に流通物を取り扱うオペレータは処理を素早く行うことが求められる。このため、上述の帳票作成装置では流通物を自動的に２回撮像して帳票を作成する構成となっている。しかしながら、上述の帳票作成装置では、例えば、オペレータが帳票の作成を急ぐあまり最初の撮像を行う際に流通物から手を離す前に撮像してしまい、撮像ミスが生じてしまった場合にも、自動的に次の撮像を行ってしまう。したがって、その後、帳票を作成するための撮像を２回行う必要がある。これでは１回目の撮像でミスが生じたときに、直ちに配達証の作成をやり直すことができなくなり、２回目の撮像を行う時間が無駄なものになってしまう。
【０００７】
本発明は上記事情に鑑みてなされたものであって、その目的は、予め規定されている流通物を撮像する撮像有効範囲に流通物の受取人に関する受取人情報のエリアおよび配達管理のためのバーコードが表記されたエリアが同時に入らない場合に、作業効率の低下を防止し、１回目の撮像に失敗した場合にも帳票を作成する無駄を省き時間を短縮できる帳票作成装置を提供することにある。
【０００８】
【課題を解決するための手段】
本発明は、受取人情報が表記されたエリアを撮像する第１の撮像を行い、この撮像によって得られた映像信号をディジタル信号に変換して記憶し、バーコードが表記されたエリアを撮像する第２の撮像を行い、この撮像によって得られた映像信号の中からバーコードに対応する信号を検索しバーコード情報を読取り記憶し、受取人情報が表記されたエリアとバーコード情報とをハードコピーした帳票を出力するものである。
【０００９】
【発明の実施の形態】
以下、本発明の各実施の形態について図面を参照して説明する。
（第１の実施の形態）
図１は帳票作成装置１の概略的な機構を示す正面図であり、図２は帳票作成装置１の概略的な機構を示す側面図である。
【００１０】
帳票作成装置１には、複写しようとする流通物２を載置する複写テーブル３、流通物２の処理に必要な情報をセットし、その内容をモニタする操作部４、複写テーブル３を複写に必要な明るさで照明する光源５、複写テーブル３の上方に位置する撮像部６、帳票作成装置１全体の制御や画像データ等の一時的な記憶を行う制御部７、流通物２の複写画像、必要な配達管理情報および読取ったバーコード情報をハードコピーに出力する印字部８が設けられている。なお、複写テーブル３に配置した流通物２は、撮像部６の撮像有効範囲と略一致するように図示している。
【００１１】
流通物２は、例えば小荷物、郵便物、小包などでかつ書留、または配達記録扱いとなっているものである。流通物２には受取人の氏名および居所、引受局記号、引受番号、特殊扱いの文字等を含む受取人情報、流通過程のいずれの場所にあるかを管理するために固有のＩＤ番号を示すバーコードが表記される。なお、流通物２サイズは図示したサイズのものに限られず種々のサイズがあり、また、受取人の居所および氏名などが表記されているエリアや配達管理を行うためのバーコードが表記されている場所も様々なものがある。
【００１２】
撮像部６は、被写体である流通物２からの入射光を反射させる反射ミラー６ａ、反射ミラー６ａからの反射光を結像する結像レンズ６ｂおよび結像レンズ６ｂで結像した流通物２の像を撮像するＣＣＤ（チャージ・カップルド・デバイス）などの撮像素子６ｃを有している。
【００１３】
図３は、帳票作成装置１の電気系統を示すブロック図である。
操作部４には、オペレータに必要な情報を表示するための表示ディスプレイ、数値キーや機能キーなどの各種キーが配置されたキーボード、スイッチ類が設けられている。この機能キーの中には、複写テーブル３に載置された流通物２の撮像を開始するためのスタートキー、詳細な説明は後述する２度撮りモードを設定するための２度撮りモード設定キー（２度撮りモード設定手段）、操作の取消しを行うための取消しキー等が設けられている。
【００１４】
撮像部６には、反射ミラー６ａ、結像レンズ６ｂ、撮像素子６ｃやアナログ−デジタル（ＡＤ）変換部（信号変換手段）を有するＣＣＤ部６１、縮尺制御回路６２、シェーディング補正回路６３、濃度補正回路６４、擬似中間調２値化再生回路６５とこれらを制御する撮像部制御用のＣＰＵ６６が設けられている（撮像手段）。
【００１５】
制御部７には、マスタＣＰＵ７１、濃度測定回路７２、撮像部・出力インターフェース（Ｉ／Ｆ）回路７３、画像メモリ７４、操作部インターフェース（Ｉ／Ｆ）回路７５とこれらを結ぶバスライン７６が設けられている。
【００１６】
印字部８は例えばレーザプリンタであり、印字部８内の各部を制御する出力制御用のＣＰＵ８１、レーザスキャナユニット制御回路８２、ポリゴンモータ駆動回路やレーザ発振回路などからなるレーザスキャナユニット８３、各種位置センサ８４、印字部８を駆動させるための駆動系制御回路８５、表面電位センサ８６、帯電、現像、転写の用に供する高圧系制御回路８７と印字テスト回路８８が設けられている（印字出力手段）。なお、この印字部８の印字制御については既知のものであるため詳細な説明は省略する。
【００１７】
バーコード情報読取部９には、バーコード情報の読取り処理専用として用いられるスレーブＣＰＵ９１およびバーコードを検出するためのバーコード検出回路９２が設けられている（バーコード情報読取手段）。
【００１８】
次に、帳票作成装置１がオペレータによる２度撮りモード設定キーの入力を受付け、２度撮りモードで帳票を作成するときの動作について説明する。
【００１９】
先ず、マスタＣＰＵ７１は、操作部４のキーボードの操作に基づいて配達証の作成月日や整理番号などの配達管理情報の設定を受付けると、この設定された配達管理情報を、操作部Ｉ／Ｆ回路７５を介してマスタＣＰＵ７１のＲＡＭに送り記憶する。
【００２０】
続いて、撮像部６のＣＰＵ６６はスタートキーの入力を受付けると、撮像部６内の各部を制御し複写テーブル３に載置された流通物２を撮像する（第１の撮像）。すなわち、流通物２は光源５からの光照射を受け、ＣＣＤ部６１の反射ミラー６ａを経て結像レンズ６ｂにより撮像素子６ｃ上にその複写画像を結ぶ。次に、撮像素子６ｃは撮像部制御用のＣＰＵ６６からの制御を受けて、順次光エネルギを電気エネルギに変換し、さらにＡ−Ｄ変換部によりアナログ量をディジタル量に変換して以降の回路へ撮像データを送出する。送出された撮像データはパイプライン処理によりそれぞれ縮尺制御回路６２、シェーディング補正回路６３、濃度補正回路６４、２値化再生回路６５により縮尺制御、シェーディング補正、画像濃度補正、擬似中間調２値化再生が行われる。なお、濃度補正を行うにあたっては、それに先立って、シェーディング補正を終えた撮像データを制御部７の濃度測定回路７２に送って、撮像対象流通物の濃度レベルを判断し、そに基づいて撮像データの濃度補正を行う。なお、この１回目の撮像により流通物２を撮像するときは、撮像部６の撮像有効範囲に少なくとも流通物２の受取人情報が表記されたエリアが入るように、複写テーブル３に流通物２が載置されている。
【００２１】
このようにして２値化再生回路で２値化された撮像データ、すなわち、流通物２の受取人情報が表記されたエリアの複写画像データは撮像部・出力部Ｉ／Ｆ回路７３を介して送出され、マスタＣＰＵ７１の制御の下、画像メモリ７４に記憶される（第１の記憶手段）。なお、この撮像データが画像メモリ７４に記憶されるときには、マスタＣＰＵ７１のＲＡＭに記憶された配達管理情報も合わせて画像メモリ７４に記憶されることとする。
【００２２】
そして、撮像部６のＣＰＵ６６はスタートキーの入力を再び検出すると、撮像部６内の各部を制御し複写テーブル３に載置された流通物２を撮像する（第２の撮像）。すなわち、上述した撮像動作を行い、複写テーブル３に載置された流通物２の撮像を行い、この撮像データを撮像部・出力部Ｉ／Ｆ７３を介してバーコード情報読取部９へ送出する。
【００２３】
バーコード情報読取部９は、送出された撮像データからバーコード情報を読取る。すなわち、バーコード検出回路９２で撮像データの中からバーコード部分を切出し、スレーブＣＰＵ９１はその切出したバーコード部分の内容を解読し、バーコード部分の示す内容を示す例えば１３桁の数字をバーコード情報として画像メモリ７４に記憶する（第２の記憶手段）。
【００２４】
続いて、マスタＣＰＵ７１は、画像メモリ７４に配達管理情報と共に記憶された第１の撮像による撮像データの所定位置に前記第２の撮像データを付与する処理を行う。これにより、配達管理情報とバーコード情報とが所定位置に付与された受取人情報が表記されたエリアの複写画像データが１つの画像データとして画像メモリ７４内に作成される。なお、この第２の撮像データを第１の撮像データに付与する処理は、バーコードの内容を示すバーコード情報が画像メモリ７４に記憶された後、操作部４から例えば印字出力を行うための操作を受付けたことを契機に行うようにしても良いし、バーコードの内容を示すバーコード情報が画像メモリ７４に記憶されると直ちに行うようにしても良い。
【００２５】
次に、マスタＣＰＵ７１は、画像メモリ７４の内容を撮像部・出力部Ｉ／Ｆ回路７３を介して印字部８へ送出する。出力制御用のＣＰＵ８１は印字部８内の各部を制御して撮像部・出力部Ｉ／Ｆ回路７３を介して送出された画像メモリ７４の内容に基づいてハードコピーを２回行う。すなわち、印字部８へ送られた画像メモリ７４の内容はＬＳＵ制御回路８２の制御を受けてレーザスキャナからレーザ光を変調する形で感光体に書込み、帳票をハードコピーとして出力する。印字部８はいわゆる間接法電子写真方式により構成されており、帯電、露光、現像、転写、分離、除電、クレーニング、定着の各プロセスにてハードコピーを作成している。また、印字部８では感光体の帯電電位を検出する表面電位センサ８６および帯電器印加電圧や現像バイアス電圧を制御する高圧系制御回路８７により画像形成のための制御が行われるとともに、用紙位置を検出する位置センサ８４および駆動系制御回路８５により用紙を搬送するための駆動が制御される。印字テスト回路２２は機器の調整時に試しに印字するためのものである。
【００２６】
次に、上述した帳票作成装置１を用いてオペレータが大量の流通物２の配達証を作成するときに、上述した２度撮りモードにより配達証を作成する場合ついて説明する。なお、書留郵便物などの流通物２を大量に出願する差出人の中には、受取人の居所および住所などが表記されたラベル、また、バーコードが表記されたラベルを流通物２に貼付して郵便局に差出すときに、差出人側では局内で流通物２の帳票を作成するときの事情がわからないために、差出人が各ラベルを流通物２に貼付するときに自らが作業を行うのに都合の良い場所に貼付してしまう場合がある。このような差出人から差出された流通物２であって、撮像部６の撮像有効範囲に受取人情報が表記されたエリアとバーコードが表記されたエリアとが同時に収まらない流通物２の配達証を作成する場合で説明する。
【００２７】
オペレータは、撮像部６の撮像有効範囲に収まらない流通物２のグループの帳票を作成するときに、先ず、２度撮りモード設定キーを押下する。この２度撮りモード設定キーの押下により、帳票作成装置１には上述した２度撮りモードが設定される。そして、オペレータは、操作部４のキーボードを操作して、作成月日および時間帯等の配達管理情報を入力し、撮像部６の撮像有効範囲に受取人情報が表記されたエリアが入るように複写テーブル３に流通物２を載置した後、スタートキーを押下する。これにより、流通物２の受取人情報が表記されたエリアが複写画像として記憶される。なお、この流通物２の撮像に失敗した場合には、オペレータは取消しキーを入力して撮り直しを直ちに行うことができる。
【００２８】
続いて、オペレータは、撮像部６の撮像有効範囲にバーコードが表記されたエリアが入るように複写テーブル３に流通物２を載置した後、スタートキーを押下する。これにより、流通物２に表記されたバーコードの内容が記憶される。最後に、オペレータは、印字出力を行うためのスイッチを入力する。帳票作成装置１は、このキーの入力を受付けると、配達管理情報、受取人情報、バーコードの内容が印刷された配達証を２通印刷出力する。
【００２９】
この実施の形態の帳票作成装置１によると、撮像部６の撮像有効範囲に、流通物２の受取人に関する受取人情報の表記されたエリアとバーコードが表記されたエリアとが同時に入らない場合に、１回目では流通物２の受取人情報が表記されたエリアを撮像し、２回目では流通物２のバーコードが表記されたエリアを撮像する２度撮りモードを設定することにより、流通物２の受取人情報が表記された部分の複写画像にバーコード情報を付与したハードコピーを帳票として出力することができる。このように２度撮りモードをオペレータは所望のときに容易に設定することができるので、非常に大きいサイズの流通物２や種々の位置にバーコードが表記されている流通物２の場合にも、帳票を作成する作業効率の低下を防止できる。
【００３０】
また、帳票作成装置１に２度撮りモードが設定されると、１回目の流通物の受取人情報の表記されたエリアの撮像と、２回目のバーコードが表記されたエリアの撮像との２回に分けて撮像する。これにより、オペレータが、受取人情報が表記されたエリアの撮像を行うときに撮像ミスが生じてしまった場合に、１回目の撮像で得られた画像を直ちにキャンセルすることができる。従って、１回目の撮像でミスが生じてしまった場合に、自動的に２回目の撮像が行われる従来例の帳票作成装置の構成と比較して、２回目の撮像を行うための無駄を省くことができ、時間を短縮できる。
【００３１】
（第２の実施の形態）
次に、第２の実施の形態について述べる。なお、前述した実施の形態と同一の部分には同一の符号を付し詳細な説明は省略する。
この第２の実施の形態の帳票作成装置１は、２度撮りモードでバーコードが表記されたエリアを撮像する２回目の撮像データをバーコード情報読取部９で次のように処理するようになっている。
【００３２】
バーコード情報読取部９は、撮像部６から撮像部・出力部Ｉ／Ｆ回路７３を介して送出されたバーコードが表記されたエリアを撮像した撮像データからバーコードの位置（座標）を検出し、そのバーコードの位置およびそのバーコードの位置の近傍位置に対応する撮像データをバーコード画像データとして切出す。この切出されたバーコード画像データは、バーコード情報読取部９からバスライン７６を介して画像メモリ７４に記憶される（第２の記憶手段）。
【００３３】
また、バーコードの近傍をどの程度まで切出すかは予め規定値により、例えばバーコードの周囲数センチメートルのように設定されているが、オペレータは操作部４のキーボード等の操作により自由に設定変更できるようになっている。また、この切出したバーコード画像データを印刷する印刷位置の設定も規定値により例えば４隅のいずれかの位置のように設定されているが、オペレータは操作部４の操作により自由に印刷位置の設定変更ができるようになっている。
【００３４】
この第２の実施の形態の帳票作成装置１によると、撮像部６の撮像有効範囲に、流通物２の受取人に関する受取人情報の表記されたエリアとバーコードが表記されたエリアとが同時に入らない場合に、１回目では流通物２の受取人情報が表記されたエリアを撮像し、２回目では流通物２のバーコードが表記されたエリアを撮像することにより、流通物２の受取人情報が表記された部分の複写画像の規定位置にバーコード画像データを付与したハードコピーを帳票として出力することができる。従って、流通物２受取人情報が表記されたエリアの複写画像とバーコードの近傍の画像が、類似した模様、濃淡を示すことになり、２つの画像が同一の流通物２から得られたものであるという画像の同一性を確認するこができる。これにより、大量の流通物２の帳票を急いで作成する場合などに、オペレータが１回目の撮像を行った流通物２と異なる流通物２で２回目の撮像を行ってしまうことによる誤帳票の作成という事態を回避できる。
【００３５】
なお、流通物２に表記された筆跡やフォントがバーコード画像データに含まれるように設定することにより、さらに、２つの画像の同一性を確実に確認することができるようになる。また、バーコード画像データを印刷する印刷位置の設定を、１回目の撮像により得られた流通物２の受取人情報が表記されていないエリアにバーコード画像データを配置するように設定することにより、１回目の撮像により得られた画像のイメージ情報を損なうことを防止できる。
【００３６】
上述した各実施の形態において、２度撮りモードの１回目の撮像は流通物２の受取人情報が表記されたエリア、２回目の撮像は流通物２のバーコードが表記されたエリアとしているがこの順序に限られるものではなく、１回目の撮像は流通物２のバーコードが表記されたエリア、２回目の撮像は流通物２の受取人情報が表記されたエリアとする順序でも勿論良い。この順序の変更は、例えば、デフォルト状態では前者の順序となるように設定しておき、オペレータが帳票作成装置１を使用する状況などに応じて操作部４を操作して設定を変更するようにする。
【００３７】
なお、この発明は、上記実施の形態そのままに限定されるものではなく、実施段階ではその要旨を逸脱しない範囲で構成要素を変形して具体化できる。また、上記実施形態に開示されている複数の構成要素の適宜な組み合わせにより種々の発明を変形できるものである。
【００３８】
【発明の効果】
以上説明したように本発明によれば、予め規定されている流通物を撮像する撮像有効範囲に流通物の受取人に関する受取人情報のエリアおよび配達管理のためのバーコードが表記されたエリアが同時に入らない場合に、作業効率を低下させず、１回目の撮像に失敗した場合に帳票を作成する無駄を省き、また、２回目の撮像でバーコードの無いエリアに対してバーコードを検出してしまう時間を短縮できる帳票作成装置を提供できる。
【図面の簡単な説明】
【図１】本発明の第１の実施の形態における帳票作成装置の概略的な正面図。
【図２】同実施の形態における帳票作成装置の概略的な側面図。
【図３】同実施の形態にける帳票作成装置の電気系統を示すブロック図。
【図４】従来例における配達管理業務の例を示すための図。
【符号の説明】
１…帳票作成装置、２…流通物、３…複写テーブル、４…操作部、６…撮像部、７…印刷部、８…印字部
【図１】
2005049941.tif 000003
【図２】
2005049941.tif 000004
【図３】
2005049941.tif 000005
【図４】
2005049941.tif 000006